(57)【要約】【課題】放送局から放送される番組情報に課金されＣＭ情報が付加された映像情報が供給されても、課金の料金を入金することにより、ＣＭ情報が削除された映像情報を得ることができる映像処理システムを提供する。【解決手段】放送局１から放送される番組情報に映像情報に付随したＣＭ情報が含まれる場合に、ＣＭ情報を削除して映像情報だけを取り出す映像処理システム２において、映像情報とＣＭ情報のコードの違いにより、映像情報とＣＭ情報を識別する識別手段１１と、識別手段１１で識別されたＣＭ情報のみを削除するＣＭ削除手段１７と、ＣＭ削除手段１７で削除されなかった映像情報を表示する表示手段１５と、を備えることにより、放送局１から放送される番組情報に映像情報に付随したＣＭ情報が含まれていても、所定の課金の料金を入金することによりＣＭ情報を削除する。【選択図】      図１
2006229823.tif 000002
【特許請求の範囲】
【請求項１】
放送局から放送される映像情報に付随したＣＭ情報が含まれる番組情報を視聴する場合に、前記放送局に課金を行って前記ＣＭ情報を削除した状態で前記番組情報を高精細画像に切り替えて視聴する映像処理システムにおいて、
前記視聴者が前記放送局に課金を行ったことを示す課金情報を送信する送信部と、
前記放送局から送られてくるキー情報を受信する受信部と、
前記キー情報を検知して前記番組情報に含まれるＣＭ情報を削除すると共に高精細画像に切り替えた画像を生成する高精細画像生成部と、
前記高精細画像を表示する表示部と、
を備えたことを特徴とする映像処理システム。
【発明の詳細な説明】
【技術分野】
【０００１】
本発明は、放送局等から放送される番組情報に課金された映像情報とＣＭ情報が付随して含まれる場合に、ＣＭ情報を削除して映像情報のみを取り出す映像処理システムに関する。
【背景技術】
【０００２】
従来、放送局から放送される番組情報に課金された映像情報が含まれる場合において、課金された映像情報を取り出す際の映像処理システム１０１を図５に示す。
図５に示すように従来の映像処理システム１０１は、放送局１００から放送される複数の映像情報Ｄ１００を受信し放送番組選択部１０５で選択された放送番組指定情報Ｃ１００により複数の映像情報Ｄ１００の中から指定した映像情報Ｄ１０１を出力する受信部１０３と、番組情報から映像情報Ｄ１０１を指定する選択情報Ｃ１００を生成し受信部１０３に送る放送番組選択部１０５と、映像情報の課金の料金の入金状態を示す課金情報Ｃ１０１を出力する課金部１０６と、課金部１０６からの課金情報Ｃ１０１に応じて映像情報Ｄ１０１に課金されていればスクランブルを削除した映像情報Ｄ１０２を、課金されていなければスクランブルを削除しない映像情報Ｄ１０２を、出力するスクランブル処理部１０４と、から構成される。
【０００３】
そして、放送局１００から放送される番組情報として映像情報Ｄ１００を映像処理システム１０１に入力すると、まず、映像情報Ｄ１００に含まれる映像情報１０１を選択し、次に、この選択された映像情報Ｄ１０１に対し予め課金の料金が入金されていれば、映像情報Ｄ１０１からスクランブルを削除した映像情報Ｄ１０２が映像処理システム１０１から出力されるので、この映像情報Ｄ１０２をディスプレイ１０２に入力して表示する。
【０００４】
以上のように、映像処理システム１０１に映像情報Ｄ１００に含まれる映像情報Ｄ１０１に対する課金の料金を入金しておけば、課金された映像情報Ｄ１０１のスクランブルが解除された鮮明な映像情報Ｄ１０２を映像処理システム１０１の出力映像情報として得ることが出来る。
【０００５】
特許文献１には、課金により解像度を変換し画質を選択できる映像処理システムが記載されている。この映像処理システムによれば、課金に応じて標準映像情報から高精細映像情報までを確保できることが開示されている。
【特許文献１】特願２００１−５３４６０号公報
【発明の開示】
【発明が解決しようとする課題】
【０００６】
しかしながら、放送局から放送される番組情報に課金された映像情報が含まれる場合においてもＣＭ情報が付加されるようになり、課金された映像情報に対する課金の料金を入金しても、映像情報と同時にＣＭ情報も表示されてしまい映像情報のみを視聴したい場合には煩わしく、また、ＣＭ情報を表示するために映像情報の表示面積が削減されて縮小されてしまい画質が劣化するという問題点があった。
【０００７】
そこで、本発明は、上記のような問題点を解消するためになされたもので、放送局から放送される番組情報に課金されＣＭ情報が付加された映像情報が供給されても、課金の料金を入金することにより、ＣＭ情報が削除された映像情報を得ることができる映像処理システムを提供することを目的とする。
【課題を解決するための手段】
【０００８】
本願発明は、  放送局から放送される映像情報に付随したＣＭ情報が含まれる番組情報を視聴する場合に、前記放送局に課金を行って前記ＣＭ情報を削除した状態で前記番組情報を高精細画像に切り替えて視聴する映像処理システムにおいて、前記視聴者が前記放送局に課金を行ったことを示す課金情報を送信する送信部と、前記放送局から送られてくるキー情報を受信する受信部と、前記キー情報を検知して前記番組情報に含まれるＣＭ情報を削除すると共に高精細画像に切り替えた画像を生成する高精細画像生成部と、前記高精細画像を表示する表示部と、を備えたことを特徴とする映像処理システムを提供する。
【発明の効果】
【０００９】
本発明によれば、放送局から放送される番組情報に映像情報に付随したＣＭ情報が含まれる場合に、ＣＭ情報を削除して映像情報だけを取り出す映像処理システムにおいて、映像情報とＣＭ情報のコードの違いにより、映像情報とＣＭ情報を識別する識別手段と、識別手段で識別されたＣＭ情報のみを削除するＣＭ削除手段と、ＣＭ削除手段で削除されなかった映像情報を表示する表示手段と、を備えることにより、放送局から放送される番組情報に映像情報に付随したＣＭ情報が含まれていても、ＣＭ情報を削除した映像情報を得ることができる。
【発明を実施するための最良の形態】
【００１０】
以下に本発明の実施形態に係る映像処理システムについて図１〜図３を用いて説明する。
図１は、本発明の実施形態における映像処理システムを用いた構成を示す図であり、（Ａ）は映像処理システムの使用状態を示す図であり、（Ｂ）は映像処理システムに含まれる課金映像処理部の詳細を示す図である。
図２は、ＣＭ情報のコードを示す図である。
図３は、映像処理システムの課金映像処理部のＣＭ削除手段を説明するための図である。
図４は、本発明の実施形態における映像処理システムから出力される映像情報を示す図であり、（Ａ）は課金されない場合、（Ｂ）は課金の料金が少ない場合、（Ｃ）は課金の料金が（Ｂ）に比較し多い場合を示す図である。
【００１１】
図１（Ａ）に示すように、本発明の第１実施形態における映像処理システムは、放送局１から複数の映像情報Ｄ０を受信する受信部４と、課金の料金の入金量により入力した映像情報をスクランブル画像、ＣＭ情報を付加した映像情報、映像情報等に識別して出力する課金映像処理部５と、複数の映像情報Ｄ０から一つの映像情報を選択する放送番組指定情報Ｃ０を生成する放送番組選択部６と、課金の料金のキー情報Ｃ３を入力し入金情報Ｃ１及び課金情報Ｃ２と生成する課金部７と、からなる。
そして、図１（Ｂ）に示すように、映像処理システムの課金映像処理部５は、課金が無い場合映像情報にスクランブルをかけるスクランブル処理手段１０と、映像情報に付加されるＣＭ情報を所定のコードにより映像情報から識別してＣＭ情報と映像情報と高精細補助情報に識別する識別手段１１と、識別されたＣＭ情報を記憶するＣＭ情報記憶手段１１４ａと、ＣＭ情報を切り離した映像情報を記憶する映像情報記憶手段１４ｂと、高精細補助情報記憶手段１４ｃと、課金量に応じて映像情報にＣＭ情報を付加したり削除したりするＣＭ削除手段１７と、課金量に応じた映像情報を表示する表示手段１５と、課金量に応じた制御情報Ｃ１０，Ｃ１１を生成する課金別映像制御１６と、から構成される。
さらに、図２に示すように、課金映像処理部５のＣＭ削除手段１４ａは、課金量に応じたＣＭ情報の領域を設定するＣＭ情報領域設定部１８と、課金量に応じた映像情報の領域を設定する映像情報領域設定部１９と、課金量に応じた高精細補助情報の領域を設定する高精細映像情報領域設定部２０と、ＣＭ情報領域設定部１８と映像情報領域設定部１９と高精細映像情報領域設定部２０とから出力されるＣＭ情報と映像情報と高精細映像情報領域設定部２０とを混合して表示する映像情報Ｄ２を出力する映像混合部２１と、課金量に応じた制御情報Ｃ１１からＣＭ情報の領域情報Ｃ１５と、映像情報の領域情報Ｃ１６と、高精細映像情報Ｃ１７と、映像混合部におけるＣＭ情報と映像情報と高精細映像情報の混合情報Ｃ１４とを生成する課金別映像領域設定部２０と、から構成される。
【００１２】
次に動作について説明する。
図１（Ａ）に示すように、放送局１から放送された複数の映像情報Ｄ０を映像処理システム２で受信し複数の映像情報Ｄ０の中から視聴したい映像情報Ｄ１を選択し課金により映像情報Ｄ１に付加されているＣＭ情報を削除することにより得られた映像情報Ｄ２を出力して外部に設置されたディスプレイ３に表示する。
【００１３】
図１（Ｂ）に示すように、映像処理システム２の課金映像処理部５では、映像情報Ｄ１を入力し課金によりスクランブル処理手段で図４（Ａ）に示されるようなスクランブルを解除し、次に映像情報Ｄ１に図２に示されるようなＣＭ情報コードとして所定のコードで混合されているから、識別手段１１によりコードを識別してＣＭ情報Ｄ１１と映像情報Ｄ１３と高精細映像情報Ｄ１５に分離し、ＣＭ情報Ｄ１１はＣＭ情報記憶手段１４ａに、映像情報Ｄ１３は映像情報記憶手段１４ｂに、高精細映像情報Ｄ１５は高精細補助情報記憶手段１４ｃにそれぞれ記憶する。以下高精細映像情報については映像情報に準ずるので説明を省略する。
【００１４】
次に図３に示すように、ＣＭ情報記憶手段１４ａに記憶されているＣＭ情報Ｄ１２と映像情報記憶手段１４ｂに記憶されている映像情報Ｄ１４をそれぞれ読み出してＣＭ削減手段１７のＣＭ情報領域設定部１８と映像情報領域設定部１９に入力し、課金別映像領域設定部２２で課金量に応じて設定された領域をそれぞれ設定する。そしてそれぞれに領域を設定されたＣＭ情報Ｄ１７と映像情報Ｄ１８を映像混合部２１に加えて混合した映像情報Ｄ２を出力する。例えば課金が少ない場合は、図３（Ｂ）に示すようにＣＭ情報が混入された映像情報Ｄ２となり、課金が多ければＣＭ情報のない図３（Ｃ）に示す映像情報Ｄ２となる。この映像情報Ｄ２を表示手段１５において表示する。映像情報Ｄ２を外部のディスプレイ３に送り表示してもよい。
【００１５】
以上述べてきたように、放送局１から放送される番組情報に映像情報に付随したＣＭ情報が含まれる場合に、ＣＭ情報を削除して映像情報だけを取り出す映像処理システム２において、映像情報とＣＭ情報のコードの違いにより、映像情報とＣＭ情報を識別する識別手段１１と、識別手段１１で識別されたＣＭ情報のみを削除するＣＭ削除手段１７と、ＣＭ削除手段１７で削除されなかった映像情報を表示する表示手段１５と、を備えることにより、放送局１から放送される番組情報に映像情報に付随したＣＭ情報が含まれていても、ＣＭ情報を削除した映像情報を得ることができる。
【図面の簡単な説明】
【００１６】
【図１】本発明の実施形態における映像処理システムを用いた構成を示す図であり、（Ａ）は映像処理システムの使用状態を示す図であり、（Ｂ）は映像処理システムに含まれる課金映像処理部の詳細を示す図である。
【図２】ＣＭ情報のコードを示す図である。
【図３】映像処理システムの課金映像処理部のＣＭ削除手段を説明するための図である。
【図４】本発明の実施形態における映像処理システムから出力される映像情報を示す図であり、（Ａ）は課金されない場合、（Ｂ）は課金の料金が少ない場合、（Ｃ）は課金の料金が（Ｂ）に比較し多い場合を示す図である。
【図５】従来の映像処理システムを示す図である。
【符号の説明】
【００１７】
１・・・放送局、２・・・映像処理システム、３・・・ディスプレイ、４・・・受信部、５・・・課金画像処理部、６・・・放送番組選択部、７・・・課金部、１０・・・スクランブル処理手段、１１・・・識別手段、１４ａ・・・ＣＭ情報記憶手段、１４ｂ・・・映像情報記憶手段、１４ｃ・・・高精細補助情報記憶手段、１５・・・表示手段、１６・・・課金別映像制御手段、１７・・・ＣＭ削除手段、１８・・・ＣＭ情報領域設定部、１９・・・映像情報領域設定部、２０・・・高精細補助情報記憶手段、２１・・・映像混合部、２２・・・課金別映像領域設定部
【図１】
2006229823.tif 000003
【図２】
2006229823.tif 000004
【図３】
2006229823.tif 000005
【図４】
2006229823.tif 000006
【図５】
2006229823.tif 000007